(57)【要約】【課題】コンバーゼンス補正技術において、ワーキングメモリを不要にしてコスト低減を可能にする。【解決手段】走査に対応してメモリから読み出された各チャンネルのコンバーゼンス補正データをオン・オフして出力するミュート回路を設け、ＣＰＵ等の制御手段により上記ミュート回路をチャンネル毎に独立して制御し、チャンネル単位で補正波形を形成し、該補正波形に基づき、コンバーゼンス補正を行うための駆動信号を形成する。コンバーゼンス補正データを修正する場合、修正の中間処理結果はコンバーゼンス調整対象色以外のメモリに一時的に記憶する。【選択図】　図１
2004080609.tif 000002
【特許請求の範囲】
【請求項１】
陰極線管により形成されるディスプレイ画面のコンバーゼンス補正を行うコンバーゼンス補正回路であって、
ディスプレイ画面のコンバーゼンス調整点におけるコンバーゼンス補正量を、赤、緑、青の各ビームの画面水平方向、垂直方向に対応する各チャンネルのコンバーゼンス補正データとして記憶する記憶手段と、
各チャンネルに設けられ、走査に対応して上記記憶手段から読み出されたコンバーゼンス補正データの出力をオンまたはオフする切替え手段と、
該切替え手段を上記チャンネル毎に独立して制御する制御手段と、
を備え、上記切替え手段から出力されたコンバーゼンス補正データに基づき、画面位置に対応した補正波形を形成しコンバーゼンス補正用の駆動信号を出力する構成としたことを特徴とするコンバーゼンス補正回路。
【請求項２】
陰極線管により形成されるディスプレイ画面のコンバーゼンス補正を行うコンバーゼンス補正回路であって、
ディスプレイ画面のコンバーゼンス調整点におけるコンバーゼンス補正量を、赤、緑、青の各ビームの画面水平方向、垂直方向に対応する各チャンネルのコンバーゼンス補正データとして記憶する記憶手段と、
上記各チャンネルに設けられ、ミュート状態・非ミュート状態に切替えられることで、走査に対応して上記記憶手段から読み出されたコンバーゼンス補正データの出力をオフまたはオンするミュート手段と、
該ミュート手段を制御する制御手段と、
を備え、上記ミュート手段が上記制御手段により上記チャンネル毎に独立してミュート状態または非ミュート状態にされ、非ミュート状態のとき出力される上記コンバーゼンス補正データに基づき、画面位置に対応した補正波形を形成し、コンバーゼンス補正用の駆動信号を出力する構成としたことを特徴とするコンバーゼンス補正回路。
【請求項３】
陰極線管により形成されるディスプレイ画面のコンバーゼンス補正を行うコンバーゼンス補正回路であって、
ディスプレイ画面のコンバーゼンス調整点におけるコンバーゼンス補正量を、赤、緑、青の各ビームの画面水平方向、垂直方向に対応する各チャンネルのコンバーゼンス補正データとして記憶する記憶手段と、
上記各チャンネルに設けられ、ミュート状態・非ミュート状態に切替えられることで、走査に対応し上記記憶手段から読み出された上記コンバーゼンス補正データの出力をオフまたはオンするミュート手段と、
上記ディスプレイ画面におけるコンバーゼンスずれを光学的に検出する検出手段と、
該検出手段の検出出力に基づき、上記記憶手段の上記コンバーゼンス補正データを修正するとともに、上記ミュート手段の切替えを制御する制御手段と、
を備え、上記制御手段により上記ミュート手段が上記チャンネル毎に独立してミュート状態または非ミュート状態にされ、非ミュート状態のとき出力される上記修正されたコンバーゼンス補正データに基づき画面位置に対応した補正波形を形成するとともに、上記修正された中間処理結果を、ミュート状態のミュート手段に対する記憶手段に記憶し、コンバーゼンス補正用の駆動信号を形成する構成としたことを特徴とするコンバーゼンス補正回路。
【請求項４】
陰極線管によるディスプレイ画面のコンバーゼンス補正が可能な表示装置であって、
赤、緑、青の信号ビームを発生する３個の陰極線管と、
上記信号ビームが投射されディスプレイ画面が形成されるスクリーンと、
上記ディスプレイ画面上のコンバーゼンス補正量を、上記各信号ビームの画面水平方向、垂直方向に対応した各チャンネルのコンバーゼンス補正データとして記憶するメモリと、
上記チャンネルに対応して設けられ、走査に対応して上記メモリから読み出された上記コンバーゼンス補正データの出力をオン・オフするミュート回路と、
該ミュート回路から出力されるコンバーゼンス補正データに基づき、上記ディスプレイ画面上の位置に対応した補正波形を形成するＤ／Ａ変換器と、
該Ｄ／Ａ変換器からの出力を増幅する増幅回路と、
上記ミュート回路を制御する制御回路と、
上記増幅回路の出力に基づき、上記各陰極線管からの上記各ビームの画面水平方向、垂直方向のコンバーゼンスを互いに独立的に変化させるコンバーゼンスコイルと、
を備え、上記制御回路により上記ミュート回路が、上記コンバーゼンス補正データの上記Ｄ／Ａ変換器側への供給を上記チャンネル毎に独立してオン・オフすることで、上記Ｄ／Ａ変換器においてチャンネル単位で補正波形が形成され、該補正波形に基づき上記コンバーゼンスコイルが駆動され、上記スクリーンにコンバーゼンス補正されたディスプレイ画面が形成されるようにした構成を特徴とする表示装置。
【請求項５】
陰極線管によるディスプレイ画面のコンバーゼンスを補正可能な表示装置であって、
赤、緑、青の信号ビームを発生する３個の陰極線管と、
上記信号ビームが投射されディスプレイ画面が形成されるスクリーンと、
上記ディスプレイ画面上のコンバーゼンス補正量を、上記各信号ビームの画面水平方向、垂直方向に対応した各チャンネルのコンバーゼンス補正データとして記憶するメモリと、
該記憶したコンバーゼンス補正データを走査に対応して上記メモリから読み出すアドレス発生手段と、
上記チャンネルに対応して設けられ、ミュート状態・非ミュート状態に切替えられることで、上記メモリから読み出された上記コンバーゼンス補正データの出力をオン・オフするミュート回路と、
上記ミュート回路から出力される上記コンバーゼンス補正データに基づき、上記ディスプレイ画面上の位置に対応した補正波形を形成するＤ／Ａ変換器と、
該Ｄ／Ａ変換器からの出力を増幅する増幅回路と、
上記ディスプレイ画面におけるコンバーゼンスずれを光学的に検出する検出手段と、
該検出手段の検出出力に基づき、上記メモリを制御して上記コンバーゼンス補正データを修正するとともに、上記ミュート回路の切替えを制御する制御手段と、
上記増幅回路の出力に基づき上記各陰極線管からの上記各ビームの画面水平方向、垂直方向のコンバーゼンスを互いに独立的に変化させるコンバーゼンスコイルと、
を備え、上記制御手段により上記ミュート回路が上記チャンネル毎に独立してミュート状態または非ミュート状態にされ、非ミュート状態のとき、上記メモリから読み出された上記修正されたコンバーゼンス補正データが上記Ｄ／Ａ変換器側に供給されてチャンネル単位でコンバーゼンス補正波形が形成されされるとともに、上記修正の中間処理結果が、ミュート状態にあるミュート手段に対応するメモリに記憶され、上記形成されたコンバーゼンス補正波形に基づき上記コンバーゼンスコイルが駆動され、上記スクリーンに、コンバーゼンス補正されたディスプレイ画面が形成されるようにした構成を特徴とする表示装置。
【発明の詳細な説明】
【０００１】
【発明の属する技術分野】
本発明は、テレビジョン受像機やディスプレイ装置等の、陰極線管により形成されるディスプレイ画面における色ずれや歪みを補正するコンバーゼンス補正技術に関する。
【０００２】
【従来の技術】
図３に、中間処理結果データの記憶用にワーキングメモリを用いた従来のディジタルコンバーゼンス補正技術の構成例を示す。
図３において、１は同期信号の入力端子、２は、同期信号から画面の走査位置に応じたアドレス信号を発生させるアドレス発生手段である。１１〜１６はメモリで、うち１１は、Ｒ（赤色）投射管６１に設置され、コンバーゼンスヨーク（以下、ＣＹという）５１に巻線されたＨ（水平）コンバーゼンスコイル４１の駆動信号となる補正値データを記憶するメモリ、１２は、Ｒ投射管６１に設置され、ＣＹ５１に巻線されたＶ（垂直）コンバーゼンスコイル４２の駆動信号となる補正値データを記憶するメモリ、１３は、Ｇ（緑色）投射管６２に設置され、ＣＹ５２に巻線されたＨコンバーゼンスコイル４３の駆動信号となる補正値データを記憶するメモリ、１４は、Ｇ投射管６２に設置され、ＣＹ５２に巻線されたＶコンバーゼンスコイル４４の駆動信号となる補正値データを記憶するメモリ、１５は、Ｂ（青色）投射管６３に設置され、ＣＹ５３に巻線されたＨコンバーゼンスコイル４５の駆動信号となる補正値データを記憶するメモリ、１６は、Ｂ投射管６３に設置され、ＣＹ５３に巻線されたＶコンバーゼンスコイル４６の駆動信号となる補正値データを記憶するメモリである。２１〜２６はそれぞれ、メモリ１１〜１６から読み出された補正値データからコンバーゼンス補正波形を形成するＤ／Ａ（ディジタル／アナログ）変換器、３１〜３６は、ＣＹ５１〜５３を駆動するためのＣＹアンプである。３は、投射管６１〜６３に映し出した映像を光学的に拡大表示するスクリーン、４ａ〜４ｈは、スクリーン３の画面上のコンバーゼンスずれを検出するための光検出器である。５は、光検出器４ａ〜４ｈのアナログ出力をそれぞれ、ディジタル量に変換するＡ／Ｄ（アナログ／ディジタル）変換器、６０は、Ａ／Ｄ変換器５の出力を演算し、メモリ１１〜１６の内容を書き換えるマイクロコンピュータ等のＣＰＵを含むＣＰＵ（Ｃｅｎｔｒａｌ　Ｐｒｏｃｅｓｓｉｎｇ　Ｕｎｉｔ）、７は、ＣＰＵ６０の中間処理結果を記憶するワーキングメモリ、８は、メモリ１１〜１６の内容を保存する保存用メモリである。なお、メモリ１１〜１６及びワーキングメモリ７には、電源をオフすると内容が破壊される揮発性のＲＡＭ（Ｒａｎｄｏｍ−Ａｃｃｅｓｓ　Ｍｅｍｏｒｙ）を用い、データ保存用メモリ８には、電源をオフしても内容が破壊されない不揮発性のＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）を用いる。９は、スクリーン上に調整パターンを発生させるパターン発生手段である。ＣＰＵ６０は該パターン発生手段９の制御も行う。かかる構成において、コンバーゼンス補正の動作は次のようになる。すなわち、電源を投入すると、ＣＰＵ６０が、保存用メモリ８に記憶した保存用データを読み出して補間等の演算を行った後、メモリ１１〜１６に補正データを書き込む。アドレス発生手段２は、画面走査に応じたアドレス信号を発生し、メモリ１１〜１６の補正データを順次読み出す。Ｄ／Ａ変換器２１〜２６では、読み出された補正データに基づき、各画面位置に応じたコンバーゼンス補正波形を形成する。コンバーゼンス補正波形は、ＣＹアンプ３１〜３６で増幅されてＣＹ５１〜５３に供給される。ＣＹ５１〜５３ではコンバーゼンス補正波形に応じた補正磁界を発生し、Ｒ、Ｇ、Ｂ各投射管のビームを制御してコンバーゼンス補正を行う。また、光検出器を利用した自動コンバーゼンス調整の動作は次のようになる。すなわち、ＣＰＵ６０の指示により、光検出器４ａ〜４ｈ上でのコンバーゼンス検出に適した赤色のみの所定の自動調整用パターン信号を、パターン発生手段９より発生する。次に、光検出器４ａ〜４ｈそれぞれの出力を、Ａ／Ｄ変換器５によりディジタル量に変換し、結果をＣＰＵ６０に送る。ＣＰＵ６０の演算処理により、光検出器４ａ〜４ｈの受光部上に調整パターン表示が一致しているかどうかを判定し、受光部上に調整パターンが一致していない場合には、一致していない受光部に相当するメモリ１１、１２の補正データの修正を行い、全ての受光部上で調整パターン表示が一致するまで、繰り返し処理を行う。補正データの修正を行う際に必要となる中間処理結果は、ＣＰＵ６０によりワーキングメモリ７に保存される。その後、同様に、緑色のみの所定の自動調整用パターン信号を発生し、メモリ１３、１４の補正データの修正を行い、次に、青色のみの所定の自動調整用パターン信号を発生し、メモリ１５、１６の補正データの修正を行う。赤、緑、青の調整が終了した後、調整用パターンを消去し、ＣＰＵ６０が、メモリ１１〜１６の代表点の補正データを保存用データとして保存用メモリ８に書き込み、光検出器を利用した自動コンバーゼンス調整を終了する。
この他、検出器の検出出力に基づいて画面のコンバーゼンス補正を行う技術としては、例えば、特開平５−３００５２８号公報に記載されたものがある。該公報には、画面上の予め定められた設定点におけるミスコンバーゼンス量を検出器で検出し、該検出したミスコンバーゼンス量に基づき、二次高次関数で表される補正式の各項の係数を演算用ＲＡＭで演算し、該演算結果から自動的にミスコンバーゼンスを補正する技術が記載されている。
【０００３】
【発明が解決しようとする課題】
例えば、光検出器を用い図３のように構成した従来のディジタルコンバーゼンス補正回路では、ＣＰＵの中間処理結果を記憶するためにワーキングメモリを設けている。このために、ディジタルコンバーゼンス補正回路及び装置全体においてコストの増大を招いていた。
本発明の課題点は、上記従来技術の状況に鑑み、コンバーゼンス補正技術において、ワーキングメモリを設けずに、低コストな構成でコンバーゼンス補正を行えるようにすることである。
本発明の目的は、かかる課題点を解決できる技術の提供にある。
【０００４】
【課題を解決するための手段】
上記課題点を解決するために、本発明では、基本的に、赤、緑、青の各ビームの画面水平方向、垂直方向に対応した各チャンネルのコンバーゼンス補正データを記憶する記憶手段またはメモリ（該当実施例：符号１１〜１６）と、走査に対応して該記憶手段またはメモリから読み出された各チャンネルのコンバーゼンス補正データの出力をオンまたはオフする、切替え手段、ミュート手段またはミュート回路（該当実施例：符号７１〜７６）とを設け、ＣＰＵ等の制御回路または制御手段（該当実施例：符号６、６’）により上記切替え手段、ミュート手段またはミュート回路をチャンネル毎に独立して制御し、チャンネル単位で補正波形を形成し、該補正波形に基づき、コンバーゼンス補正を行うための駆動信号を形成する。コンバーゼンス補正データを修正する場合、修正の中間処理結果はコンバーゼンス調整対象色以外の記憶手段またはメモリに一時的に記憶する。
切替え手段、ミュート手段またはミュート回路は、コンバーゼンス調整を行う際、出力オンの状態または非ミュート状態においては、調整中の色のコンバーゼンス補正データを出力し、出力オフの状態またはミュート状態においては、調整中の色以外のコンバーゼンス補正データ出力はオフする（出力ゼロの状態にする）。ＣＰＵ等の制御回路または制御手段は、上記切替え手段、ミュート手段またはミュート回路における、上記出力オフ状態・出力オン状態の切替え、またはミュート状態・非ミュート状態の切替えを制御する。Ｄ／Ａ変換器は、上記切替え手段、ミュート手段またはミュート回路側から入力されるコンバーゼンス補正データに基づき、画面上の位置に対応した補正波形を形成する。表示装置のコンバーゼンスコイルは、該補正波形に基づいて駆動される。
【０００５】
【発明の実施の形態】
以下、本発明の実施例につき、図面を用いて説明する。
図１は、本発明の第１の実施例を示す図である。図１において、図３と同じ機能を果たす部分には図３の場合と同一の符号を付し、説明を省略する。
図１において、６は、制御手段または制御回路としてのＣＰＵ、７１〜７６はそれぞれ、記憶手段としてのメモリ１１〜１６から読み出されたコンバーゼンス補正データをチャンネル毎に独立してオン・オフする切替え手段またはミュート手段としてのミュート回路である。ＣＰＵ６は、マイクロコンピュータ等で構成され、Ａ／Ｄ変換手段５の出力によるメモリ１１〜１６の内容書き換え制御、パターン発生手段９の制御、ミュート回路７１〜７６のオン・オフ制御などを含めシステム全体の制御を行う。ミュート回路７１〜７６はそれぞれ、上記ＣＰＵ６からの指示（制御信号）により、赤（Ｒ）／緑（Ｇ）／青（Ｂ）、画面水平方向（Ｈ）／画面垂直方向（Ｖ）の各チャンネルに互いに独立して制御される。ミュート回路７１〜７６は、非ミュート状態の場合は、メモリ１１〜１６から読み出されたコンバーゼンス補正データを出力して、波形成形手段であるＤ／Ａ変換器２１〜２６側に供給する。また、ミュート状態の場合は、メモリ１１〜１６から読み出されたコンバーゼンス補正データとは無関係に、補正量ゼロのディジタルデータをＤ／Ａ変換器２１〜２６に供給する。
【０００６】
本第１の実施例構成におけるコンバーゼンス補正の動作は次のようになる。すなわち、電源を投入すると、ＣＰＵ６が、保存用メモリ８に記憶された保存用データを読み出して、補間等の演算を行った後、メモリ１１〜１６に対し該コンバーゼンス補正データを書き込む。アドレス発生手段２においては、画面走査に応じたアドレス信号を発生し、メモリ１１〜１６からコンバーゼンス補正データを順次読み出す。ミュート回路７１〜７６は、ＣＰＵ６の指示により全て非ミュート状態となり、メモリ１１〜１６から読み出されたコンバーゼンス補正データを出力し、Ｄ／Ａ変換器２１〜２６に供給する。Ｄ／Ａ変換器２１〜２６では、読み出されたコンバーゼンス補正データを基に、各画面位置に応じたコンバーゼンス補正波形を形成する。該形成されたコンバーゼンス補正波形は、ＣＹアンプ３１〜３６で増幅された後、ＣＹ５１〜５３に供給される。ＣＹ５１〜５３ではコンバーゼンス補正波形に応じた補正磁界を発生する。該補正磁界によってＲ、Ｇ、Ｂ投射管のビームを制御しコンバーゼンス補正を行う。
【０００７】
また、本第１の実施例構成における光検出器を利用した自動コンバーゼンス調整動作は次のようになる。すなわち、例えば、まず、ＣＰＵ６の指示により、検出手段としての光検出器４ａ〜４ｈ上でのコンバーゼンス検出に適した赤色（Ｒ）の所定の自動調整用パターン信号を、パターン発生手段９で発生する。また、ＣＰＵ６の指示により、赤色（Ｒ）以外のミュート回路７３〜７６をミュート状態にし、赤色（Ｒ）以外のＤ／Ａ変換器２３〜２６に対して、補正量ゼロのディジタルデータ出力を供給する。次に、光検出器４ａ〜４ｈの各出力をＡ／Ｄ変換器５によりディジタル量に変換し、結果をＣＰＵ６に送る。ＣＰＵ６は、これを受け取って演算処理により、光検出器４ａ〜４ｈの受光部（図示なし）上に調整パターン表示が一致しているか否かを判定し、該受光部上に調整パターンが一致していない場合には、該一致していない受光部に相当するメモリ１１、１２のコンバーゼンス補正データの修正を行い、全ての受光部上で調整パターン表示が一致するまで、繰り返し処理を行う。コンバーゼンス補正データの修正を行う際に必要となる中間処理結果は、ＣＰＵ６が、赤色（Ｒ）以外のメモリ１３〜１６に一時的に保存させる。該保存の際は、メモリをクリアした後に保存するようにする。全ての受光部上で調整パターン表示が一致すると、ＣＰＵ６は赤色（Ｒ）のコンバ−ゼンス調整を終了し、メモリ１１、１２の代表点の補正デ−タを保存用デ−タとして保存用メモリ８に書き込む。仮に、本第１の実施例構成においてミュート回路７１〜７６を設けていない場合を想定すると、赤色（Ｒ）以外のメモリ１３〜１６に書き込んだ中間処理結果によっては、赤色（Ｒ）以外のＣＹアンプ３３〜３６に大電流が流れ、赤色（Ｒ）のＣＹアンプ３１、３２にも影響を及ぼし、自動コンバーゼンス調整の精度が低下するおそれがある。また、極端な場合は、赤色（Ｒ）以外のＣＹアンプ３３〜３６に大電流が流れることにより、赤色（Ｒ）のＣＹアンプ３１、３２のコンバーゼンス補正出力が飽和してしまい、その結果、自動コンバーゼンス補正処理を続けられなくなる可能性もある。これに対し、本第１の実施例構成では、赤色（Ｒ）のコンバーゼンス調整を行う場合、赤色（Ｒ）以外のメモリ１３〜１６に、いかなる中間処理結果を書き込んでも、ミュート回路７３〜７６がミュート動作を行っているため、赤色（Ｒ）以外のＣＹアンプ３３〜３６はメモリ１３〜１６の内容に関係なく無補正状態となり、赤色（Ｒ）のコンバーゼンス補正状態が中間の演算処理結果の影響を受けることはない。次に、ＣＰＵ６は、保存用メモリ８に記憶されている緑色（Ｇ）補正用の保存用データを読み出し、補間等の演算を行った後、メモリ１３、１４に補正データを書き込む。ＣＰＵ６は、その後、赤色（Ｒ）の場合と同様に、緑色（Ｇ）の所定の自動調整用パターン信号を発生し、メモリ１３、１４のコンバーゼンス補正データの修正を行う場合には、ＣＰＵ６の指示により緑色以外のミュート回路７１、７２、７５、７６を制御してミュート状態にし、補正量ゼロのディジタルデータを出力する。コンバーゼンス補正データの修正を行う際に必要な中間処理結果は、ＣＰＵ６の制御により、緑色（Ｇ）以外のメモリ１１、１２、１５、１６に一時的に保存される。全ての受光部上で調整パターン表示が一致すると、ＣＰＵ６は緑色（Ｇ）のコンバ−ゼンス調整を終了し、メモリ１３、１４の代表点の補正デ−タを保存用デ−タとして保存用メモリ８に書き込む。この場合も、本第１の実施例構成では、緑色（Ｇ）のコンバーゼンス調整を行う場合、緑色（Ｇ）以外のメモリに、いかなる中間処理結果を書き込んでも、ミュート回路７１、７２、７５、７６がミュート動作を行っているため、緑色（Ｇ）以外のＣＹアンプ３１、３２、３５、３６はメモリ１１、１２、１５、１６の内容に関係なく無補正状態となり、緑色（Ｇ）のコンバーゼンス補正状態が中間の演算処理結果の影響を受けることはない。次に、ＣＰＵ６は、保存用メモリに記憶した青色（Ｂ）補正用の保存用データを読み出し、補間等の演算を行った後、メモリ１５、１６にコンバーゼンス補正データを書き込む。その後、赤色（Ｒ）、緑色（Ｇ）の場合と同様に、青色（Ｂ）のみの所定の自動調整用パターン信号を発生し、メモリ１５、１６の補正データの修正を行う場合には、ＣＰＵ６の指示により青色以外のミュート回路７１〜７４をミュート状態にし、補正データの修正を行う際に必要となる中間処理結果は、ＣＰＵ６により、青色（Ｂ）以外のメモリ１１〜１４に一時的に保存される。全ての受光部上で調整パターン表示が一致すると、ＣＰＵ６は、青色（Ｂ）のコンバ−ゼンス調整を終了し、メモリ１５、１６の代表点の補正デ−タを保存用デ−タとして保存用メモリ８に書き込む。この場合も、本第１の実施例構成では、青色（Ｂ）のコンバーゼンス調整を行う場合、青色（Ｂ）以外のメモリに、いかなる中間処理結果を書き込んでも、ミュート回路７１〜７４がミュート動作を行っているため、青色（Ｂ）以外のＣＹアンプ３１〜３４はメモリ１１〜１４の内容に関係なく無補正状態となり、青色（Ｂ）のコンバーゼンス補正状態が中間の演算処理結果の影響を受けることはない。以上のようにして、光検出器を利用した自動コンバーゼンス調整を終了する。
【０００８】
上記第１の実施例構成によれば、コンバーゼンス補正データの修正を行う際に必要となる中間処理結果を、メモリ１１〜１６に記憶することが可能となるため、専用のワーキングメモリを設けなくても、光検出器を利用した自動コンバーゼンス調整を行うことができ、ディジタルコンバーゼンス補正回路のコスト低減が可能となる。また、付随的に、本ディジタルコンバーゼンス補正回路を用いた表示装置のコスト低減も可能となる。
【０００９】
図２は本発明の第２の実施例を示す図である。
本第２の実施例は、キーボードを使用して手動的にコンバーゼンス調整を行えるようにした場合の例である。上記図１の第１の実施例の構成に対し、光検出器４ａ〜４ｈ及びＡ／Ｄ変換器５を削除し、キーボード１０を追加している。図２において、図１、図３と同じ機能を果たす部分には図１、図３の場合と同一の符号を付し、説明を省略する。
図２において、１０は、手動コンバーゼンス調整の指示等を行う複数のキーが配置されたキーボードであり、例えば、手動コンバ−ゼンス調整の開始指示キー（図示なし）、赤色コンバーゼンス調整の開始指示キー（図示なし）、赤色コンバーゼンス調整の終了指示キー（図示なし）、青色コンバーゼンス調整の開始指示キー（図示なし）、青色コンバーゼンス調整の終了指示キー（図示なし）、手動コンバ−ゼンス調整の終了指示キー（図示なし）、コンバーゼンス調整点を上下左右に移動するキー（４個）（図示なし）、コンバーゼンス調整点のコンバーゼンス補正データを上下左右に調整するキー（４個）（図示なし）などが配置されているとする。６’は、制御手段または制御回路としてのＣＰＵで、マイクロコンピュータ等で構成され、Ａ／Ｄ変換手段５の出力によるメモリ１１〜１６の内容書き換え制御、パターン発生手段９の制御、ミュート回路７１〜７６のオン・オフ制御などを含めシステム全体の制御を行う。該ＣＰＵ６’は、キーボード１０の指示により、コンバーゼンス調整の制御を行う。７１〜７６はそれぞれ、記憶手段としてのメモリ１１〜１６から読み出されたコンバーゼンス補正データをチャンネル毎に独立してオン・オフする切替え手段またはミュート手段としてのミュート回路である。
【００１０】
本第２の実施例において、コンバーゼンス補正の動作については、上記第１の実施例の場合と同様である。本第２の実施例における、キーボード１０を利用した手動的なコンバーゼンス調整の動作は次のようになる。すなわち、例えば、コンバーゼンス調整者がキーボード１０を用いて、手動コンバ−ゼンス調整の開始指示に続いて、赤色（Ｒ）のコンバーゼンス調整を開始する指示をＣＰＵ６’に出した場合は、該ＣＰＵ６’の指示により、手動コンバーゼンス調整に適したクロスハッチ等の赤色（Ｒ）と緑色（Ｇ）のパターン信号を、パターン発生手段９が発生する。また、ＣＰＵ６’の指示により、青色（Ｂ）のミュート回路７５、７６をミュート状態にし、波形形成手段としての青色（Ｂ）のＤ／Ａ変換器２５、２６には、補正量ゼロのディジタルデータを供給する。キーボード１０から、赤色（Ｒ）のコンバーゼンス調整の指示をＣＰＵ６’に与えると、該ＣＰＵ６’は記憶手段としてのメモリ１１、１２のコンバーゼンス補正データの修正を行う。コンバーゼンス補正データの修正を行う際に必要となる中間処理結果は、ＣＰＵ６’が記憶手段としての青色（Ｂ）のメモリ１５、１６に一時的に保存する。画面全体のコンバーゼンス調整が終了し、キーボード１０から赤色コンバ−ゼンス調整終了の指示をＣＰＵ６’に送ると、ＣＰＵ６’は、メモリ１１、１２の代表点のコンバーゼンス補正デ−タを保存用デ−タとして保存用メモリ８に書き込む。同様に、コンバーゼンス調整者が、キーボード１０を用いて、青色（Ｂ）のコンバーゼンス調整を開始する指示をＣＰＵ６’に送った場合は、該ＣＰＵ６’は保存用メモリ８に記憶した青色補正用の保存用データを読み出し、補間等の演算を行った後、メモリ１５、１６に補正データを書き込み、手動コンバーゼンス調整に適したクロスハッチ等の青色（Ｂ）と緑色（Ｇ）のパターン信号を、パターン発生手段９で発生する。また、赤色（Ｒ）のミュート回路７１、７２をミュート状態にし、波形形成手段としての赤色（Ｒ）のＤ／Ａ変換器２１、２２には、補正量ゼロのディジタルデータを供給する。キーボード１０から、青色（Ｂ）のコンバーゼンス調整の指示をＣＰＵ６’に与えると、ＣＰＵ６’は、メモリ１５、１６の補正データの修正を行う。補正データの修正を行う際に必要となる中間処理結果は、ＣＰＵ６’が赤色（Ｒ）のメモリ１１、１２に一時的に保存する。画面全体のコンバーゼンス調整が終了して、青色コンバーゼンス調整終了の指示をキーボード１０からＣＰＵ６’に送ると、ＣＰＵ６’は、調整用パターンを消去し、メモリ１５、１６の代表点のコンバーゼンス補正データを保存用メモリ８に書き込み、手動コンバーゼンス調整の終了指示で手動コンバーゼンス調整を終了する。
【００１１】
上記第２の実施例構成によれば、上記第１の実施例の場合と同様、中間処理結果をメモリ１１〜１６に記憶することが可能となるため、専用のワーキングメモリを設けなくても、コンバーゼンス調整を行うことができる。このため、ディジタルコンバーゼンス補正回路のコスト低減が可能になる。付随的に、本ディジタルコンバーゼンス補正回路を用いた表示装置のコスト低減も可能となる。
【００１２】
【発明の効果】
本発明によれば、ワーキングメモリを設ける必要がなくなり、ディジタルコンバーゼンス補正回路のコストを低減することができる。また、該補正回路を用いる表示装置のコスト低減も可能となる。
【図面の簡単な説明】
【図１】本発明の第１の実施例を示す図である。
【図２】本発明の第２の実施例を示す図である。
【図３】従来のディジタルコンバーゼンス補正回路の説明図である。
【符号の説明】
２…アドレス発生手段、　３…スクリーン、　４ａ〜４ｈ…光検出器、　５…Ａ／Ｄ変換器、　６、６’、６０…ＣＰＵ、　７…ワーキングメモリ、　８…保存用メモリ、　９…パターン発生手段、１０…キーボード、　１１〜１６…メモリ、　２１〜２６…Ｄ／Ａ変換器、　３１〜３６…ＣＹアンプ、　７１〜７６…ミュート回路、　４１、４３、４５…水平コンバーゼンスコイル、　４２、４４、４６…垂直コンバーゼンスコイル、　５１、５２、５３…コンバーゼンスヨーク、　６１〜６３…投射管。
【図１】
2004080609.tif 000003
【図２】
2004080609.tif 000004
【図３】
2004080609.tif 000005